(57)【要約】【課題】  １枚の画像ファイルに対して複数の音声データを対応付けた録音、記録を行うことである。【解決手段】  画像データを記憶する記憶部４２と、前記記憶部に記憶された前記画像データを読み出し表示する表示部１０と、前記表示部に表示された画像の一部を指定する指定部１２と、音声データを取得する音声データ取得部２２と、前記音声データ取得部により取得した音声データを前記指定部により指定された前記画像の位置情報に対応付けて記録する音声記録部４２とを備える。【選択図】  図２
2010193274.tif 000002
【特許請求の範囲】
【請求項１】
画像データを記憶する記憶部と、
前記記憶部に記憶された前記画像データを読み出し表示する表示部と、
前記表示部に表示された画像の一部を指定する指定部と、
音声データを取得する音声データ取得部と、
前記音声データ取得部により取得した音声データを前記指定部により指定された前記画像の位置情報に対応付けて記録する音声記録部と
を備えることを特徴とする情報処理装置。
【請求項２】
前記位置情報は前記画像を複数に分割した分割位置情報であることを特徴とする請求項１記載の情報処理装置。
【請求項３】
前記位置情報は前記画像データと共に記憶されている顔領域の位置情報であることを特徴とする請求項１記載の情報処理装置。
【請求項４】
前記音声記録部により前記音声データの記録を行う場合には、前記指定部により指定された位置またはその近傍に前記音声データの記録中である旨を表示することを特徴とする請求項１〜３の何れか一項に記載の情報処理装置。
【請求項５】
前記音声データを前記画像の位置情報に対応付けて記録した場合には、前記音声データが対応付けられた前記画像の位置またはその近傍に、前記音声データが前記画像に対応付けて記録されている旨を表示することを特徴とする請求項１〜４の何れか一項に記載の情報処理装置。
【請求項６】
前記音声データを再生する場合には、前記指定部により前記音声データが対応付けられている前記画像の位置またはその近傍を指定することを特徴とする請求項１〜５の何れか一項に記載の情報処理装置。
【請求項７】
前記表示部は該表示部上に前記指定部を配置したタッチパネルで構成されることを特徴とする請求項１〜６の何れか一項に記載の情報処理装置。
【請求項８】
請求項１〜７の何れか一項に記載の情報処理装置と、
被写体を撮像して撮像データを出力する撮像部と
を備えることを特徴とする撮像装置。
【請求項９】
コンピュータを、
記憶部に記憶された画像データを読み出し表示部に表示する手段と、
前記表示部に表示された画像の一部を指定する手段と、
音声データを取得する手段と、
取得した前記音声データを指定された前記画像の位置情報に対応付けて記録する手段
として機能させるためのプログラム。
【請求項１０】
コンピュータを、
記憶部に記憶された画像データを読み出し表示部に表示する手段と、
前記表示部に表示された画像の一部を指定する手段と、
音声データを取得する手段と、
取得した前記音声データを指定された前記画像の位置情報に対応付けて記録する手段
として機能させるためのプログラムを記録したコンピュータ読み取り可能な記録媒体。
【発明の詳細な説明】
【技術分野】
【０００１】
本発明は、画像に関連付けた音声を記録することができる情報処理装置、撮像装置、プログラム及びプログラムを記録したコンピュータ読み取り可能な記録媒体に関するものである。
【背景技術】
【０００２】
画像を撮像し、画像の記録処理後に所定時間以上シャッタボタンが押されたままである場合には、画像を再生すると共に音声メモの録音を行い、音声データを静止画と対応させて記録する撮像装置が知られている（例えば、特許文献１参照）。
【先行技術文献】
【特許文献】
【０００３】
【特許文献１】特開平９−３２２０４３号公報
【発明の概要】
【発明が解決しようとする課題】
【０００４】
しかし、この撮像装置においては１枚の画像ファイルに対して１つの音声データのみしか対応付けることができなかった。
【０００５】
本発明の目的は、１枚の画像ファイルに対して複数の音声データを対応付けた録音、記録を行うことである。
【課題を解決するための手段】
【０００６】
本発明の情報処理装置は、画像データを記憶する記憶部と、前記記憶部に記憶された前記画像データを読み出し表示する表示部と、前記表示部に表示された画像の一部を指定する指定部と、音声データを取得する音声データ取得部と、前記音声データ取得部により取得した音声データを前記指定部により指定された前記画像の位置情報に対応付けて記録する音声記録部とを備えることを特徴とする。
【０００７】
また、本発明の撮像装置は、本発明の情報処理装置と、被写体を撮像して撮像データを出力する撮像部とを備えることを特徴とする。
【０００８】
また、本発明のプログラムは、コンピュータを、記憶部に記憶された画像データを読み出し表示部に表示する手段と、前記表示部に表示された画像の一部を指定する手段と、音声データを取得する手段と、取得した前記音声データを指定された前記画像の位置情報に対応付けて記録する手段として機能させることを特徴とする。
【０００９】
また、本発明のプログラムを記録したコンピュータ読み取り可能な記録媒体は、コンピュータを、記憶部に記憶された画像データを読み出し表示部に表示する手段と、前記表示部に表示された画像の一部を指定する手段と、音声データを取得する手段と、取得した前記音声データを指定された前記画像の位置情報に対応付けて記録する手段として機能させるためのプログラムを記録している。
【発明の効果】
【００１０】
本発明の情報処理装置、撮像装置、プログラム及びコンピュータ読み取り可能な記録媒体によれば、１枚の画像ファイルに対して複数の音声データを対応付けた録音、記録を行うことができる。
【図面の簡単な説明】
【００１１】
【図１】本発明の第１の実施の形態に係るカメラの背面を示す斜視図である。
【図２】本発明の第１の実施の形態に係るカメラのシステム構成を示すブロック図である。
【図３】本発明の第１の実施の形態に係る録音処理を示すフローチャートである。
【図４】本発明の第１の実施の形態に係るＬＣＤ表示部の表示を示す図である。
【図５】本発明の第１の実施の形態に係るＬＣＤ表示部の表示を示す図である。
【図６】本発明の第１の実施の形態に係るＬＣＤ表示部の表示を示す図である。
【図７】本発明の第１の実施の形態に係るデータ記憶部に記録された画像ファイル及び音声ファイルを説明するための図である。
【図８】本発明の第１の実施の形態に係るデータ記憶部に記録された画像ファイル及び音声ファイルを説明するための図である。
【図９】本発明の第１の実施の形態に係る再生処理を示すフローチャートである。
【図１０】本発明の第１の実施の形態に係るＬＣＤ表示部の表示を示す図である。
【図１１】本発明の第２の実施の形態に係るカメラのシステム構成を示すブロック図である。
【図１２】本発明の第２の実施の形態に係る録音処理を示すフローチャートである。
【図１３】本発明の第２の実施の形態に係るＬＣＤ表示部の表示を示す図である。
【図１４】本発明の第２の実施の形態に係るマトリックスを示す図である。
【図１５】本発明の第２の実施の形態に係るＬＣＤ表示部の表示を示す図である。
【図１６】本発明の第２の実施の形態に係るＬＣＤ表示部の表示を示す図である。
【図１７】本発明の第２の実施の形態に係る再生処理を示すフローチャートである。
【図１８】本発明の第２の実施の形態に係るＬＣＤ表示部の表示を示す図である。
【発明を実施するための形態】
【００１２】
以下、図面を参照して本発明の第１の実施の形態に係るカメラについて説明する。図１は第１の実施の形態に係るカメラの背面を示す斜視図である。カメラ２の前面には図示しない撮影レンズが備えられ、上面にはカメラ２の電源のオン・オフを行う電源スイッチ６、レリーズ動作を指示するシャッタボタン８が備えられている。また、カメラ２の背面には撮像された画像の表示等を行うＬＣＤ表示部１０、ＬＣＤ表示部１０に積層して配置され表示された画像の一部を指定するタッチセンサ１２、再生画像の選択等を行うマルチセレクタ１４、画像の再生を指示する再生ボタン１６、画像の再生の停止を指示する停止ボタン１８、画像のみを再生する画像再生モードと音声と共に画像を再生する音声再生モードとを切り替えるモード切替ボタン２０、音声を取得するためのマイク２２、音声を再生するスピーカ２４が備えられている。
【００１３】
図２は第１の実施の形態に係るカメラのシステム構成を示すブロック図である。カメラ２にはＣＰＵ２６が設けられており、ＣＰＵ２６には、操作部２８、ＬＣＤ表示部１０の表示を制御する表示制御部３０、タッチセンサ１２、撮影レンズを介した被写体光を撮像して撮像信号（蓄積電荷としてのアナログ信号）を生成するＣＣＤ或いはＣＭＯＳ等により構成される撮像素子３２、撮像素子３２から出力された撮像信号を図示しないＡ／Ｄ変換部においてＡ／Ｄ変換することにより生成された画像データを一時的に記憶する内蔵メモリ３４、撮像素子３２から出力される撮像信号に基づく画像データに、ホワイトバランス調整、輪郭補償、ガンマ補正等の画像処理を行う画像処理部３６、画像データから特徴点を抽出することにより検出された被写体の顔領域、顔の大きさ等の顔認識データから顔領域の位置情報を生成する顔検出部３８、音声データを取得するためのマイク２２、音声の再生を行うスピーカ２４を制御する音声再生制御部４０、撮影画像データ及びマイク２２により取得し図示しないＡ／Ｄ変換部によりＡ／Ｄ変換した音声データを記憶するメモリカード４２が接続されている。ここで、操作部２８は、電源スイッチ６、シャッタボタン８、マルチセレクタ１４、再生ボタン１６、停止ボタン１８、モード切替ボタン２０を備えている。また、ＣＰＵ２６には、顔認識データを有する１枚の画像ファイルに対して複数の音声データを対応付けた録音、記録を行うプログラム、また、複数の音声データを対応付けて録音、記録した画像ファイル及び音声ファイルの再生を行うプログラムが予め組み込まれている。
【００１４】
次に、図３に示すフローチャートを参照して、第１の実施の形態に係るカメラの録音処理について説明する。まず、第１の実施の形態に係るカメラ２により撮像を行う際に顔検出部３８により人物の顔を検出した場合には、検出した人物毎にその人物の顔領域の位置情報を顔認識データとして撮影画像の画像データと共にメモリカード４２に記憶する。このとき、複数の人物を検出した場合には、例えば番号を付すことにより、それぞれの人物が識別可能となるようにし、また、例えば、顔領域の位置情報はＥｘｉｆ形式のファイルのタグ情報として記憶される。
【００１５】
マルチセレクタ１４の操作により撮影画像が選択されると選択された撮影画像をメモリカード４２から読み出し、読み出した画像４４を例えば、図４に示すようにＬＣＤ表示部１０に表示する（ステップＳ１）。画像４４の画像データには顔認識データとして人物４６，４８，５０の顔領域の位置情報が記憶されている。従って、図５に示すように顔領域の位置情報により示される人物の顔に枠５２を表示する、また、人物の顔をカラー表示しそれ以外の領域をグレースケールで表示する等、人物の顔の位置を認識可能に表示してもよい。
【００１６】
次に、ＬＣＤ表示部１０に表示された画像の何れかの領域がユーザの指等によりタッチされたか否かを判定する（ステップＳ２）。タッチされない場合には画像の再生を継続する。タッチされた場合にはタッチセンサ１２により検出された領域が顔領域の位置情報により示される領域と一致するか否かを判定する（ステップＳ３）。タッチされた領域が顔領域の位置情報により示される領域と一致しない場合には画像の再生を継続する。
【００１７】
タッチされた領域が顔領域の位置情報により示される領域と一致する場合には、例えば図６に示すように、顔領域の位置情報が示す人物４４の顔に吹き出し５４を表示し（ステップＳ４）、吹き出し５４がタッチされたか否かを判定する（ステップＳ５）。吹き出し５４がタッチされない場合には、所定時間経過したか否かを判定し（ステップＳ６）、例えば１０秒等、所定時間が経過した場合には吹き出し５４の表示を中止し、画像の再生を継続する。
【００１８】
吹き出し５４がユーザの指等によりタッチされた場合には、タッチセンサ１２により検出し、マイク２２により取得した音声の録音を開始する（ステップＳ７）。録音中も録音中である旨と共に吹き出し５４は表示され、さらに吹き出しがタッチされたか判定する（ステップＳ８）。ここで、録音中である旨は吹き出し５４の点滅等により表示する。そして、吹き出し５４がタッチされた場合には録音を終了する（ステップＳ１０）。また、吹き出し５４がタッチされない場合には所定時間が経過したか否かを判定し（ステップＳ９）、所定時間が経過していない場合には録音を継続し、所定時間が経過した場合には録音を終了する（ステップＳ１０）。ここで、所定時間には例えば、メモリカード４２に音声データを記録可能な最長時間、ユーザまたはプリセットにより設定した最長録音時間を用いる。
【００１９】
次に、録音された音声データを画像に関連付けてメモリカード４２に記憶する。まず、録音した音声データが関連付けられる画像データに音声ファイルが既に作成されているか確認する（ステップＳ１１）。
【００２０】
音声ファイルが作成されていない場合には画像データに関連付けした音声ファイルを作成し（ステップＳ１２）、録音した音声データを音声ファイルに記録する（ステップＳ１３）。既に音声ファイルが作成されている場合には、その音声ファイルに録音した音声データを追加し記録する（ステップＳ１３）。そして、その音声データに画像中の人物と対応するインデックスを付加する（ステップＳ１４）。
【００２１】
ステップＳ１〜１４の処理においてＬＣＤ表示部１０に再生表示した画像中の顔認識データを有する人物の内、指定された一の人物に対応した音声データの録音及び記録を行うが、さらに他の人物に対応した音声データの録音及び記録を行う場合には再度ステップＳ１に戻り画像の再生表示を行い、ステップＳ２において他の人物の指定を行い、ステップＳ３〜Ｓ１４において他の人物に対応する音声データの録音、記録処理を行う。
【００２２】
なお、カメラ２で撮像した撮影画像の画像ファイルを例に説明したが、カメラ２で撮像した画像ファイルに限られず、他のカメラで撮像した画像ファイルであっても顔認識データを有していれば音声データを関連付けた音声ファイルの録音、記録を行うことができる。
【００２３】
図７はメモリカード４２に記録された画像ファイル及び音声ファイルを説明するための図である。メモリカード４２に記録されるファイル、フォルダにはＤＣＦ規格に準拠するようにファイル名、フォルダ名が付される。
【００２４】
メモリカード４２にはフォルダ「１００ＮＩＫＯＮ」、「１０１ＮＩＫＯＮ」が記憶され、フォルダ「１００ＮＩＫＯＮ」には画像ファイル「ＤＳＣＮ０００１．ＪＰＧ」、「ＤＳＣＮ０００２．ＪＰＧ」、「ＤＳＣＮ０００１．ＪＰＧ」に関連付けされた音声ファイル「ＤＳＣＮ０００１．ＷＡＶ」が格納されている。このとき「ＤＳＣＮ０００１．ＪＰＧ」がステップＳ１において再生表示され、ステップＳ３〜Ｓ１０の録音の過程を経た場合には、Ｓ１１において音声ファイルが既に作成されていることが確認されるため、ステップＳ１３において「ＤＳＣＮ０００１．ＷＡＶ」に録音した音声データを追加して記録する。そして、ステップＳ１４においてステップＳ３で指定された一の人物の顔領域の位置情報と対応付けたインデックスを音声ファイル「ＤＳＣＮ０００１．ＷＡＶ」に記録した音声データに付加する。
【００２５】
また、フォルダ「１００ＮＩＫＯＮ」に画像ファイル「ＤＳＣＮ０００１．ＪＰＧ」、「ＤＳＣＮ０００２．ＪＰＧ」が格納され、音声ファイル「ＤＳＣＮ０００１．ＷＡＶ」が格納されていないときには、例えば、「ＤＳＣＮ０００１．ＪＰＧ」をステップＳ１において再生表示しステップＳ３〜Ｓ１０の録音の過程を経た後に、Ｓ１１において音声ファイルが作成されていないことを確認するため、ステップＳ１２において画像ファイル「ＤＳＣＮ０００１．ＪＰＧ」に関連付けた音声ファイル「ＤＳＣＮ０００１．ＷＡＶ」を作成する。そして、ステップＳ１３において「ＤＳＣＮ０００１．ＷＡＶ」に録音した音声データを記録し、ステップＳ１４においてステップＳ３で指定された一の人物の顔領域の位置情報と対応付けたインデックスを音声ファイル「ＤＳＣＮ０００１．ＷＡＶ」に記録した音声データに付加する。
【００２６】
なお、音声データを記録する際にＤＣＦ規格に準拠しない方式で行ってもよい。例えば、インデックスを音声データに付加せずに、人物毎に音声ファイルを作成することで音声データの記録を行う。この場合には図８に示すように音声ファイルを格納するフォルダ「ＳＯＵＮＤ」を作成しておく。
【００２７】
そして、「ＤＳＣＮ０００１．ＪＰＧ」をステップＳ１において再生表示し、「ＤＳＣＮ０００１．ＪＰＧ」に複数の顔認識データが記憶されているときに、ステップＳ２〜Ｓ１０と同様の処理を経て指定された一の人物に対応する音声を録音した後に、音声データを記録する場合に指定された一の人物の顔領域の位置情報と対応付けたファイル名を付した音声ファイル「ＤＳＣＮ０００１＿０１．ＷＡＶ」をフォルダ「ＳＯＵＮＤ」内に作成する。ここで、「ＤＳＣＮ０００１」は画像ファイル「ＤＳＣＮ０００１．ＪＰＧ」に関連付けられていることを、「＿０１」は「ＤＳＣＮ０００１．ＪＰＧ」の顔領域の位置情報が存在する人物の内、１人目の人物に対応することを示している。さらに他の人物に対応する音声データを記録する場合には、ステップＳ１〜ステップＳ１０と同様の処理を経て指定された他の人物に対応する音声を録音した後、音声データを記録する際に指定された他の人物の顔領域の位置情報と対応付けたファイル名を付した音声ファイル「ＤＳＣＮ０００１＿０２．ＷＡＶ」をフォルダ「ＳＯＵＮＤ」内に作成する。
【００２８】
次に、図９に示すフローチャートを参照して、第１の実施の形態に係るカメラの画像再生処理について説明する。マルチセレクタ１４の操作により再生する撮影画像が選択されると（ステップＳ２１）、選択された撮影画像をメモリカード４２から読み出しＬＣＤ表示部１０に表示し（ステップＳ２２）、モード切替ボタン２０が操作されたか否かを判定する（ステップＳ２３）。モード切替ボタン２０の操作がされない場合には画像再生モードであるため画像の表示を継続する。
【００２９】
モード切替ボタン２０が操作された場合には音声再生モードに切り替え、表示されている画像の画像ファイルに関連付けされた音声ファイルがメモリカード４２に記憶されているか確認する（ステップＳ２４）。画像ファイルに関連付けされた音声ファイルが記憶されていない場合には画像の表示を継続する。画像ファイルに関連付けされた音声ファイルがメモリカード４２に記憶されていることを確認した場合には、ＬＣＤ表示部１０に表示されている画像において対応する音声データが記録されている人物に音符マークを表示する（ステップＳ２５）。例えば、図１０に示すように、画像４４において人物４６，５０に対応付けられた音声データがある場合に、人物４６，５０に音符マーク５６を表示する。
【００３０】
そして、ユーザは音符マークが表示されている人物の顔をタッチして人物の指定を行う（ステップＳ２６）。タッチされた人物に対応付けて記憶されている音声データの音声を音声再生制御部４０を介してスピーカ２４から再生する（ステップＳ２７）。例えば、図１０に示すようにＬＣＤ表示部１０に表示されている場合に、人物４６または人物５０の顔がタッチされるとそれぞれの人物に対応付けられた音声データの音声を再生する。なお、人物４８の顔がタッチされても音声の再生は行われない。
【００３１】
第１の実施の形態に係るカメラによれば、顔認識データを有する１枚の画像ファイルに対して複数の音声データを対応付けることができる。
【００３２】
次に、図面を参照して本発明の第２の実施の形態に係るカメラについて説明する。なお、この第２の実施の形態に係るカメラの構成は、第１の実施の形態に係るカメラ２の顔認識部を分割領域記憶部に変更したものである。従って、第１の実施の形態と同一の構成についての詳細な説明は省略し、異なる部分のみについて詳細に説明する。また、第１の実施の形態と同一の構成には同一の符号を付して説明する。
【００３３】
図１１は第２の実施の形態に係るカメラのシステム構成を示すブロック図である。第２の実施の形態に係るカメラ５８においてはＣＰＵ６０に画像データを分割するためのマトリックスのパターンを記憶する分割領域記憶部６２が接続されている。また、ＣＰＵ６０には、１枚の画像ファイルに対して複数の音声データを対応付けた録音、記録を行うプログラム、また、複数の音声データを対応付けて録音、記録した画像ファイル及び音声ファイルの再生を行うプログラムが予め組み込まれている。
【００３４】
次に、図１２に示すフローチャートを参照して第２の実施の形態に係るカメラの録音処理について説明する。マルチセレクタ１４の操作により選択された撮影画像をメモリカード４２から読み出し、読み出した画像６４を例えば、図１３に示すようにＬＣＤ表示部１０に表示する（ステップＳ３１）。次に、ＬＣＤ表示部１０に表示された画像の何れかの領域がユーザの指等によりタッチされたか否かを判定する（ステップＳ３２）。タッチされない場合には画像の再生を継続する。タッチされた場合にはタッチセンサ１２により検出し、例えば図１４に示す画像の領域を分割するためのマトリックス６６を分割領域記憶部６２から読み出す。図１４に示すマトリックス６６は分割領域記憶部６２に記憶されたマトリックスの一例であり、画像を等しく１６分割する場合のものである。また、マトリックスのそれぞれの分割領域は位置を示す番号または座標等により識別可能としている。そして、図１５に示すように、マトリックス６６をＬＣＤ表示部１０に表示された画像６４に対して重ねて表示する（ステップＳ３３）。
【００３５】
さらにタッチされた領域を含む分割領域に吹き出し５４を表示する（ステップＳ３４）。例えば、図１６に示すように、タッチされた領域が鐘６８を含む領域である場合に、鐘６８を含む分割領域に吹き出し５４を表示する。次に、吹き出し５４がタッチされたか否かを判定する（ステップＳ３５）。吹き出し５４がタッチされない場合には、所定時間経過したか否かを判定し（ステップＳ３６）、例えば１０秒等、所定時間が経過した場合には吹き出しの表示を中止し、画像の再生を継続する。
【００３６】
吹き出し５４がユーザの指等によりタッチされた場合には、音声の録音を開始し、例えば鐘６８の音を録音する（ステップＳ３７）。なお、ステップＳ３８〜Ｓ４０における処理は、図３に示すフローチャートのステップＳ８〜Ｓ１０における処理とそれぞれ同様の処理であるため、説明は省略する。
【００３７】
次に、録音した音声データを画像に関連付けてメモリカード４２に記憶する処理を行うが、ステップＳ４１〜Ｓ４３における処理は、図３に示すフローチャートのステップＳ１１〜Ｓ１３における処理とそれぞれ同様の処理であるため説明は省略する。そして、記録した音声データに画像中の分割領域に対応するインデックスを付加する（ステップＳ４４）。
【００３８】
ステップＳ３１〜Ｓ４４の処理により再生表示した画像中の一の分割領域に対応した音声データの録音及び記録を行うが、さらに他の分割領域に対応した音声データの録音及び記録を行う場合には再度ステップＳ３１に戻り画像の再生表示を行い、ステップＳ３２において画像の何れかの領域がタッチされた後、ステップＳ３３においてマトリックスを重ねて表示しＳ３４〜Ｓ４４における音声の録音、記録処理を行う。
【００３９】
なお、ＬＣＤ表示部１０に表示された画像にマトリックスを重ねて表示していないときにタッチセンサによりタッチされたことを検出し、タッチされた領域を含む分割領域に対応付けた音声データを記録する構成を例に説明したが、ＬＣＤ表示部に表示した画像に重ねてマトリックスを表示した状態でタッチセンサによりタッチされたことを検出し、タッチされた分割領域に対応付けた音声データを記録する構成としてもよい。
【００４０】
次に、図１７に示すフローチャートを参照して、第２の実施の形態に係るカメラの画像再生処理について説明する。Ｓ５１〜Ｓ５４における処理は図９に示すフローチャートにおけるＳ２１〜Ｓ２４の処理とそれぞれ同様の処理であるため説明は省略する。
【００４１】
ステップＳ５４において画像ファイルに関連付けされた音声ファイルがメモリカード４２に記憶されていることを確認した場合には、ＬＣＤ表示部１０に表示されている画像において対応付けされた音声データがある分割領域に音符マークを表示する（ステップＳ５５）。例えば、図１８に示すように、画像６４において鐘６８を含む分割領域に対応付けされた音声データがある場合に、鐘６８を含む分割領域に音符マーク５６を表示する。
【００４２】
そして、ユーザがタッチすることにより音符マークが表示されている分割領域が指定される（ステップＳ５６）。タッチされた分割領域に対応付けて記憶されている音声データの音声を音声再生制御部４０を介してスピーカ２４から再生する（ステップＳ５７）。例えば、図１８に示すようにＬＣＤ表示部１０に表示されている場合に、鐘６８を含む分割領域がタッチされるとその分割領域に対応付けされた音声データの音声を再生する。なお、他の分割領域がタッチされた場合には、音声の再生は行われない。
【００４３】
第２の実施の形態に係るカメラによれば、顔認識データを有さない画像ファイルであっても１枚の画像ファイルに対して複数の音声データを対応付けることができる。従って、他のカメラで撮像した画像ファイルであっても、１枚の画像ファイルに対して複数の音声データを関連付けた音声ファイルの録音、記録を行うことができる。
【００４４】
なお、第２の実施の形態において画像を等しく１６分割するマトリックスを用いて説明したが、画像を分割する方法はこれに限られず、等しく９分割、２５分割、３６分割等してもよい。また、等しく分割しなくてもよく、ユーザが任意にマトリックスを設定してもよい。
【００４５】
なお、上述の各実施の形態において、吹き出しを人物の顔、分割領域に表示する例を用いて説明したが、人物の顔、分割領域の周縁等の近傍に表示してもよい。
【００４６】
また、上述の各実施の形態においては、タッチセンサにより接触が検出された人物の顔、分割領域に対応付けて音声を録音する構成を例に説明したが、マルチセレクタ等の操作により音声を対応付けて録音する人物の顔、分割領域を指定するようにしてもよい。また、録音された音声を再生する際も同様にマルチセレクタ等の操作により音声を対応付けて記録されている人物の顔、分割領域を指定するようにしてもよい。この場合に、録音または再生の際に指定された人物の顔、分割領域の色の変更等を行い、認識可能に表示する。
【００４７】
また、上述の各実施の形態においては、タッチセンサにより指によるＬＣＤ表示部への接触を検出する構成を例に説明したが、タッチペン等を用いてタッチペンの接触をタッチセンサが検出する構成としてもよい。
【００４８】
また、上述の各実施の形態において、再生処理の際に音声データが対応付けられた人物の顔、分割領域に音符マークを表示する例を用いて説明したが、再生処理の際に音声データが対応付けられた人物の顔、分割領域をカラー表示しそれ以外をグレースケールで表示する等、音声データが対応付けられた人物の顔、分割領域が認識可能に表示する構成であればどのような表示でもよい。
【００４９】
また、上述の各実施の形態においてはカメラを例に説明したが、メモリカード等の記憶媒体から読み込んだ画像データを液晶ディスプレイ等で構成される表示部に表示させるデジタルフォトフレーム等でもよい。
【００５０】
また、上述の各実施の形態においては、カメラに予め組み込まれたプログラムを用いて１枚の画像ファイルに関連付けた複数の音声データの録音、記録及び複数の音声データが関連付けされた画像ファイルの再生の処理を行っているが、該プログラムをインターネット等のネットワークを介してダウンロードし、コンピュータに組み込むことによって、上述の録音、記録及び再生処理を行うことができるようにコンピュータを機能させるようにしてもよい。
【００５１】
また、該プログラムはフレキシブルディスク、ＣＤ−ＲＯＭ、ＤＶＤ等のコンピュータ読み取り可能な記録媒体に記録されていてもよい。即ち、コンピュータ読み取り可能な記録媒体から読み取り、コンピュータに組み込むことによって、上述の録音、記録及び再生処理を行うことができるようにコンピュータを機能させるようにしてもよい。
【符号の説明】
【００５２】
２…カメラ、１０…ＬＣＤ表示部、１２…タッチセンサ、２２…マイク、２４スピーカ、３２…撮像素子、３８…顔検出部、４２…メモリカード、５４…吹き出し、５６…音符マーク、６２…分割領域記憶部。
【図１】
2010193274.tif 000003
【図２】
2010193274.tif 000004
【図３】
2010193274.tif 000005
【図４】
2010193274.tif 000006
【図５】
2010193274.tif 000007
【図６】
2010193274.tif 000008
【図７】
2010193274.tif 000009
【図８】
2010193274.tif 000010
【図９】
2010193274.tif 000011
【図１０】
2010193274.tif 000012
【図１１】
2010193274.tif 000013
【図１２】
2010193274.tif 000014
【図１３】
2010193274.tif 000015
【図１４】
2010193274.tif 000016
【図１５】
2010193274.tif 000017
【図１６】
2010193274.tif 000018
【図１７】
2010193274.tif 000019
【図１８】
2010193274.tif 000020